(57)【特許請求の範囲】
【請求項１】
コンテンツデータを再生する再生装置および他の再生装置を含む複数の外部装置と接続されるコンテンツ送信装置であって：
コンテンツデータを前記再生装置に送信する送信部と；
前記複数の外部装置の各々の状態を検出する検出部と；
前記検出部により検出された前記複数の外部装置の各々の状態に応じ、前記再生装置において視聴が制限されるコンテンツデータの視聴制限と視聴が許容されるコンテンツデータの視聴制限との境界を決定する視聴制限決定部と；
前記視聴制限決定部により決定された前記境界、およびコンテンツデータに設定されている視聴制限の関係に基づき、前記送信部からのコンテンツデータの送信を制御する制御部と；
を備え、
前記視聴制限決定部は、前記検出部により検出される前記他の再生装置の電源のオンオフ状態に応じて前記再生装置の前記境界を決定する、コンテンツ送信装置。
【請求項２】
前記視聴制限決定部は、前記他の再生装置の電源がオン状態であると前記検出部により検出されている場合、前記再生装置の前記境界を低くする、請求項１に記載のコンテンツ送信装置。
【請求項３】
前記視聴制限決定部は、前記他の再生装置の電源がオン状態であると前記検出部により検出されている場合、前記再生装置の前記境界を高くする、請求項１に記載のコンテンツ送信装置。
【請求項４】
前記視聴制限決定部は、さらに、現在時刻に応じて前記再生装置の前記境界を決定することを特徴とする、請求項１に記載のコンテンツ送信装置。
【請求項５】
前記コンテンツ送信装置は、前記視聴制限決定部による前記境界の決定基準が利用者により入力される入力部をさらに備え、
前記視聴制限決定部は、前記入力部に入力された前記決定基準に基づいて前記再生装置の前記境界を決定する、請求項１に記載のコンテンツ送信装置。
【請求項６】
コンテンツデータを再生する再生装置および他の再生装置を含む複数の外部装置と接続され、コンテンツデータを前記再生装置へ送信する送信部を備えるコンテンツ送信装置に設けられるコンピュータを、
前記複数の外部装置の各々の状態を検出する検出部と；
前記検出部により検出された前記複数の外部装置の各々の状態に応じ、前記再生装置において視聴が制限されるコンテンツデータの視聴制限と視聴が許容されるコンテンツデータの視聴制限との境界を決定する視聴制限決定部と；
前記視聴制限決定部により決定された前記再生装置の前記境界、および前記コンテンツデータの視聴制限の関係に基づき、前記送信部からの前記コンテンツデータの送信を制御する制御部と；
として機能させ、
前記視聴制限決定部に、前記検出部により検出される前記他の再生装置の電源のオンオフ状態に応じて前記再生装置の前記境界を決定させるための、プログラム。
【請求項７】
コンテンツデータを再生する再生装置および他の再生装置を含む複数の外部装置と接続されるコンテンツ送信装置において実行される視聴制限決定方法であって：
前記複数の外部装置の各々の状態を検出するステップと；
前記複数の外部装置の各々の状態に応じ、前記再生装置において視聴が制限されるコンテンツデータの視聴制限と視聴が許容されるコンテンツデータの視聴制限との境界を決定するステップと；
決定された前記再生装置の前記境界、および前記コンテンツデータの視聴制限の関係に基づき、前記コンテンツデータの送信を制御するステップと；
を含み、
前記再生装置の前記境界は、前記他の再生装置の電源のオンオフ状態に応じて決定される、視聴制限決定方法。
【請求項８】
コンテンツデータを再生する再生装置および他の再生装置を含む複数の外部装置と、前記複数の外部装置と接続されるコンテンツ送信装置を含むコンテンツ送信システムであって：
前記コンテンツ送信装置は、
コンテンツデータを前記再生装置に送信する送信部と；
前記複数の外部装置の各々の状態を検出する検出部と；
前記検出部により検出された前記複数の外部装置の各々の状態に応じ、前記再生装置において視聴が制限されるコンテンツデータの視聴制限と視聴が許容されるコンテンツデータの視聴制限との境界を決定する視聴制限決定部と；
前記視聴制限決定部により決定された前記再生装置の前記境界、および前記コンテンツデータの視聴制限の関係に基づき、前記送信部からの前記コンテンツデータの送信を制御する制御部と；
を備え、
前記視聴制限決定部は、前記検出部により検出される前記他の再生装置の電源のオンオフ状態に応じて前記再生装置の前記境界を決定する、コンテンツ送信システム。
【発明の詳細な説明】
【技術分野】
【０００１】
本発明は、コンテンツ送信装置、プログラム、視聴制限決定方法、およびコンテンツ送信システムに関する。
【背景技術】
【０００２】
近日、家庭内の機器を相互に接続してホームネットワークを構築する技術が注目を集めている。家庭内の機器としては、例えば、ＰＣ（Ｐｅｒｓｏｎａｌ  Ｃｏｍｐｕｔｅｒ）、テレビジョン（ＴＶ）、映像や音声などのコンテンツデータを記憶しているコンテンツ記憶装置、およびコンテンツデータを再生するコンテンツ再生装置などがあげられる。
【０００３】
また、暴力や性描写を含むコンテンツデータを例えば１８歳未満の子供に視聴させないために、コンテンツデータには視聴制限が設定されている場合がある。この場合、子供が利用するコンテンツ再生装置に、視聴制限が設定されているコンテンツデータの再生を禁止することで、子供を有害なコンテンツデータから保護することができる。
【０００４】
例えば、特許文献１には、車両の前部にフロントモニタを設け、後部にリアモニタを設け、リアモニタには、フロントモニタよりも低い程度の視聴制限を適用するシステムが記載されている。かかるシステムによれば、リアモニタには所定の視聴制限が設定されているコンテンツデータが再生されないため、該コンテンツデータから一般に後部座席に座る子供を保護し得る。また、一般に前部座席に座る両親人は通常通り視聴制限が設定されているコンテンツデータを視聴し得る。
【０００５】
【特許文献１】特開２００６−１９７４３２号公報
【発明の開示】
【発明が解決しようとする課題】
【０００６】
しかし、家庭内においては、各コンテンツ再生装置の利用者は不定であるため、従来のシステムをホームネットワークに適用した場合、コンテンツデータの再生の制限を適切に行なうことができなかった。例えば、リビングルームのコンテンツ再生装置は両親も子供も利用するため、リビングルームのコンテンツ再生装置に固定的な視聴制限を適用すると、視聴制限の設定されているコンテンツデータを子供が視聴してしまう、あるいは両親が視聴できないなどの不都合が生じかねなかった。
【０００７】
そこで、本発明は、上記問題に鑑みてなされたものであり、本発明の目的とするところは、再生装置において視聴が許容、または制限されるコンテンツデータの視聴制限を動的に変化させることが可能な、新規かつ改良されたコンテンツ送信装置、プログラム、送信制御方法、およびコンテンツ送信システムを提供することにある。
【課題を解決するための手段】
【０００８】
上記課題を解決するために、本発明のある観点によれば、コンテンツデータを再生する再生装置を含む複数の外部装置と接続されるコンテンツ送信装置であって、コンテンツデータを前記再生装置に送信する送信部と、前記複数の外部装置の各々の状態を検出する検出部と、前記検出部により検出された前記複数の外部装置の各々の状態に応じ、前記再生装置において視聴が制限されるコンテンツデータの視聴制限と視聴が許容されるコンテンツデータの視聴制限との境界を決定する視聴制限決定部と、前記視聴制限決定部により決定された前記境界、およびコンテンツデータに設定されている視聴制限の関係に基づき、前記送信部からのコンテンツデータの送信を制御する制御部と、を備えるコンテンツ送信装置が提供される。
【０００９】
かかる構成においては、再生装置の視聴制限の前記境界が、外部装置の各々状態に応じて変化する。このように、当該コンテンツ送信装置は、再生装置において視聴が許容、または制限されるコンテンツデータの視聴制限を動的に変化させることができるため、再生装置の利用者が不定であっても、利用者ごとにコンテンツデータの視聴を適切に制限し得る。
【００１０】
前記外部装置は、前記再生装置と、他の再生装置を含み、前記検出部は、前記他の再生装置の電源のオンオフ状態を検出し、前記視聴制限決定部は、前記検出部により検出された前記再生装置のオンオフ状態に応じて前記再生装置の前記境界を決定してもよい。
【００１１】
例えば、前記視聴制限決定部は、前記他の再生装置の電源がオン状態であると前記検出部により検出されている場合、前記再生装置の前記境界を低くしてもよい。かかる構成においては、他の再生装置の電源がオン状態であると前記検出部により検出されている場合、視聴制限決定部が、再生装置において視聴が許容されるコンテンツデータの視聴制限の上限を低くする。ここで、他の再生装置の利用者が大人であると特定されており、他の再生装置の電源がオン状態である場合には、再生装置の現在の利用者が子供である可能性が高くなる。この場合、上記のように、視聴制限決定部が再生装置において視聴が許容されるコンテンツデータの視聴制限の上限を低くすることにより、子供を不適切なコンテンツデータから効果的に保護することができる。
【００１２】
また、前記視聴制限決定部は、前記他の再生装置の電源がオン状態であると前記検出部により検出されている場合、前記再生装置の前記境界を高くしてもよい。かかる構成においては、他の再生装置の電源がオン状態であると前記検出部により検出されている場合、視聴制限決定部が、再生装置において視聴が許容されるコンテンツデータの視聴制限の上限を高くする。ここで、他の再生装置の利用者が子供であると特定されており、他の再生装置の電源がオン状態である場合には、再生装置の現在の利用者が大人である可能性が高くなる。この場合、上記のように、視聴制限決定部が再生装置において視聴が許容されるコンテンツデータの視聴制限の上限を高くすることにより、大人がコンテンツデータの視聴を過剰に制限されることを抑止できる。
【００１３】
前記外部装置は、前記再生装置と、光を感知する光センサを含み、前記検出部は、前記光センサによる光の感知状態を検出し、前記視聴制限決定部は、前記検出部により検出された前記光の感知状態に応じて前記再生装置の前記境界を決定してもよい。かかる構成においては、光センサの配置されている部屋の電気が点灯されている場合には光センサが光を感知する。また、光センサの配置されている部屋に人がいる場合に電気が点灯される可能性がある。したがって、光センサの配置されている部屋の利用者が特定されており、光センサにより光が検出されている場合には、再生装置の現在の利用者が大人である、または子供である可能性がより高くなる。そこで、視聴制限決定部は、検出部により検出された光の感知状態に応じて再生装置の視聴制限の前記境界を決定することにより、再生装置の利用者に対してコンテンツデータの視聴に関する視聴制限をより適切に課することができる。
【００１４】
前記視聴制限決定部は、さらに、現在時刻に応じて前記再生装置の前記境界を決定してもよい。かかる構成においては、再生装置の利用者が時刻に応じて異なる場合、各利用者に応じた視聴制限を各利用者に課することが可能となる。
【００１５】
前記コンテンツ送信装置は、前記視聴制限決定部による前記境界の決定基準がユーザにより入力される入力部をさらに備え、前記視聴制限決定部は、前記入力部に入力された前記決定基準に基づいて前記再生装置の前記境界を決定してもよい。
【００１６】
また、上記課題を解決するために、本発明の別の観点によれば、コンテンツデータを再生する再生装置を含む複数の外部装置と接続され、コンテンツデータを前記再生装置へ送信する送信部を備えるコンテンツ送信装置に設けられるコンピュータを、前記複数の外部装置の各々の状態を検出する検出部と、前記検出部により検出された前記複数の外部装置の各々の状態に応じ、前記再生装置において視聴が制限されるコンテンツデータの視聴制限と視聴が許容されるコンテンツデータの視聴制限との境界を決定する視聴制限決定部と、前記視聴制限決定部により決定された前記再生装置の前記境界、および前記コンテンツデータの視聴制限の関係に基づき、前記送信部からの前記コンテンツデータの送信を制御する制御部と、として機能させるためのプログラムが提供される。
【００１７】
かかるプログラムは、例えばＣＰＵ、ＲＯＭまたはＲＡＭなどを含むコンピュータのハードウェア資源に、上記のような視聴制限決定部、および制御部の機能を実行させることができる。すなわち、当該プログラムを用いるコンピュータを、上述の視聴制限決定部、および制御部として機能させることが可能である。
【００１８】
また、上記課題を解決するために、本発明の別の観点によれば、コンテンツデータを再生する再生装置を含む複数の外部装置と接続されるコンテンツ送信装置において実行される視聴制限決定方法であって、前記複数の外部装置の各々の状態を検出するステップと、前記複数の外部装置の各々の状態に応じ、前記再生装置において視聴が制限されるコンテンツデータの視聴制限と視聴が許容されるコンテンツデータの視聴制限との境界を決定するステップと、決定された前記再生装置の前記境界、および前記コンテンツデータの視聴制限の関係に基づき、前記コンテンツデータの送信を制御するステップと、を含む視聴制限決定方法が提供される。
【００１９】
また、上記課題を解決するために、本発明の別の観点によれば、コンテンツデータを再生する再生装置を含む複数の外部装置と、前記複数の外部装置と接続されるコンテンツ送信装置を含むコンテンツ送信システムが提供される。より詳細に説明すると、前記コンテンツ送信装置は、コンテンツデータを前記再生装置に送信する送信部と、前記複数の外部装置の各々の状態を検出する検出部と、前記検出部により検出された前記複数の外部装置の各々の状態に応じ、前記再生装置において視聴が制限されるコンテンツデータの視聴制限と視聴が許容されるコンテンツデータの視聴制限との境界を決定する視聴制限決定部と、前記視聴制限決定部により決定された前記再生装置の前記境界、および前記コンテンツデータの視聴制限の関係に基づき、前記送信部からの前記コンテンツデータの送信を制御する制御部と、を備える。
【００２０】
かかる構成においては、再生装置の視聴制限の前記境界が、外部装置の各々状態に応じて変化する。このように、当該コンテンツ送信システムにおいては、再生装置において視聴が許容、または制限されるコンテンツデータの視聴制限を動的に変化されるため、再生装置の利用者が不定であっても、利用者ごとにコンテンツデータの視聴を適切に制限し得る。
【発明の効果】
【００２１】
以上説明したように本発明にかかるコンテンツ送信装置、プログラム、視聴制限決定方法、およびコンテンツ送信システムによれば、再生装置において視聴が許容、または制限されるコンテンツデータの視聴制限を動的に変化させることができる。
【発明を実施するための最良の形態】
【００２２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２３】
また、以下に示す項目順序に従って当該「発明を実施するための最良の形態」を説明する。
〔１〕本実施形態にかかるホームネットワークの概要
〔２〕本実施形態に至る経緯
〔３〕ホームネットワークを構成する再生装置の機能
〔４〕ホームネットワークを構成するコンテンツ記録装置の機能
〔５〕本実施形態にかかるホームネットワークの動作
〔６〕まとめ
【００２４】
〔１〕本実施形態にかかるホームネットワークの概要
まず、図１および図２を参照し、本実施形態にかかるホームネットワーク１について概略的に説明する。
【００２５】
図１は、本実施形態にかかるホームネットワーク１の構成をコンテンツ送信システムの一例として示した説明図である。図１に示したように、ホームネットワーク１は、ルータ１４と、受信機１６と、表示装置１８Ａおよび１８Ｂと、コンテンツ記録装置２０と、再生装置３０Ａ〜３０Ｃを備える。なお、図１においては、各再生装置を区別するために、再生装置３０Ａ〜３０Ｃのように符号の後に大文字のアルファベットを付しているが、各再生装置を特に区別する必要が無い場合、単に再生装置３０と総称する。表示装置１８Ａおよび１８Ｂについても同様に、各表示装置１８Ａおよび１８Ｂを特に区別する必要が無い場合、単に表示装置１８と総称する。
【００２６】
ルータ１４は、コンテンツデータが記憶されており、コンテンツデータを配信、送信、または提供することが可能なコンテンツサーバ１０と通信網１２を介して接続されている。コンテンツデータとしては、音楽、講演およびラジオ番組などの音楽データや、映画、テレビジョン番組、ビデオプログラム、写真、文書、絵画および図表などの映像データや、ゲームおよびソフトフェアなどの任意のデータがあげられる。
【００２７】
また、通信網１２は、通信網１２に接続されている装置から送信される情報の有線、または無線の伝送路である。例えば、通信網１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＩＰ−ＶＰＮ（Ｉｎｔｅｒｎｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２８】
受信機１６は、任意の方法によりコンテンツデータを受信する。例えば、受信機１６は、ルータ１４を介してコンテンツサーバ１０にコンテンツリストの送信を要求し、該要求に応じてコンテンツサーバ１０から送信されたコンテンツリストを受信する。そして、受信機１６は、受信したコンテンツリストを表示装置１８Ａに表示し、利用者により選択されたコンテンツデータの送信をルータ１４を介してコンテンツサーバ１０に要求する。その後、該要求に応じてコンテンツサーバ１０から送信されたコンテンツデータを受信することができる。
【００２９】
また、受信機１６は、地上波デジタル放送、ケーブルＴＶ放送、ＢＳ（Ｂｒｏａｄｃａｓｔｉｎｇ  Ｓａｔｅｌｌｉｔｅ）デジタル放送、ＣＳ（Ｃｏｍｍｕｎｉｃａｔｉｏｎ  Ｓａｔｅｌｌｉｔｅ）デジタル放送などの任意の放送によりコンテンツデータを受信してもよい。受信機１６は、このように受信したコンテンツデータをコンテンツ記録装置２０へ送信する。なお、ホームネットワークを構成する各装置は、有線で接続されていても、無線で接続されていてもよい。
【００３０】
また、図１においては受信機１６およびコンテンツ記録装置２０が分離構成されている場合を示しているが、受信機１６およびコンテンツ記録装置２０は一体構成されていてもよい。同様に、図１においてはコンテンツ記録装置２０および再生装置３０が分離構成されている場合を示しているが、コンテンツ記録装置２０および再生装置３０は一体構成されていてもよい。さらに、図１においては受信機１６および再生装置３０が分離構成されている場合を示しているが、受信機１６および再生装置３０は一体構成されていてもよい。
【００３１】
コンテンツ記録装置２０は、受信機１６から送信されたコンテンツデータを内蔵する記憶部（２５０）に記憶するコンテンツ送信装置としての機能を有する。また、コンテンツ記録装置２０は、再生装置３０に対して、要求のあったコンテンツデータを送信することができる。ただし、本実施形態にかかるコンテンツ記録装置２０は、表示装置１８Ｂに制限基準の設定画面を表示させることにより、利用者により各再生装置３０の年齢制限を決定する際に利用する制限基準が設定される。そして、コンテンツ記録装置２０は、各再生装置３０に適用される年齢制限（パレンタル制御）に基づいて各再生装置３０へコンテンツデータを送信するか否かを判断する。このようなコンテンツ記録装置２０の詳細については、「〔４〕ホームネットワークを構成するコンテンツ記録装置の機能」において後述する。
【００３２】
再生装置３０は、コンテンツ記録装置２０からコンテンツデータを取得して再生するコンテンツ再生装置としての機能を有する。図１においては、再生装置３０の一例としてモニタを示しているが、再生装置３０は、ＰＣ（Ｐｅｒｓｏｎａｌ  Ｃｏｍｐｕｔｅｒ）、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔｓ）、家庭用ゲーム機器、携帯用ゲーム機器、家電機器などの情報処理装置であってもよい。当該再生装置３０の詳細な機能については、「〔３〕ホームネットワークを構成する再生装置の機能」において後述する。
【００３３】
続いて、上記説明した当該ホームネットワーク１が適用される住宅の具体例を、図２を参照して説明する。
【００３４】
図２は、ホームネットワーク１が適用された住宅の間取りの具体例を示した説明図である。図２に示したように、当該住宅は、リビングルーム４２と、子供部屋４４と、両親の寝室４６を有する。
【００３５】
リビングルーム４２には、受信機１６、コンテンツ記録装置２０、および再生装置３０Ａが配置されている。また、子供部屋４４には再生装置３０Ｂが配置されており、寝室４６には再生装置３０Ｃが配置されている。
【００３６】
図２に示したように各再生装置３０が異なる部屋に存在しても、ホームネットワーク１によれば、コンテンツ記録装置２０に記憶されているコンテンツデータを各再生装置３０が共有し、再生することができる。
【００３７】
〔２〕本実施形態に至る経緯
以上、図１および図２を参照して本実施形態にかかるホームネットワーク１について概略的に説明した。続いて、本実施形態に至った経緯を説明する。
【００３８】
コンテンツデータには、暴力や性描写が含まれる場合、当該コンテンツデータを例えば１８歳未満の子供に視聴させないために年齢制限が設定されている。かかる年齢制限としては、１５歳未満の子供による視聴を禁止するＲ（Ｒｅｓｔｒｉｃｔｅｄ）１５、１８歳未満の子供による視聴を禁止するＲ１８などがあげられる。したがって、子供が利用するコンテンツ再生装置に年齢制限を設定し、年齢制限が設定されているコンテンツ再生装置へ年齢制限が設定されているコンテンツデータが送信されないようにすれば、子供を不適切なコンテンツデータから保護することができる。
【００３９】
しかし、住宅内の例えばリビングルームは家族の集う場所であるため、リビングルームに配置されているコンテンツ再生装置は子供および両親の双方に利用され得る状態にある。このように不定の利用者に利用されえるコンテンツ再生装置に固定的な年齢制限を設定してしまうと、コンテンツデータの視聴の制限を適切に行なうことが困難であった。
【００４０】
例えば、リビングルームに配置されているコンテンツ再生装置に固定的にＲ１８を設定した場合、Ｒ２０のコンテンツデータの子供による視聴は防止できるが、Ｒ２０のコンテンツデータを本来視聴してもよい両親までＲ２０のコンテンツデータを視聴できなくなる。また、リビングルームに配置されているコンテンツ再生装置に年齢制限を設定しなかった場合、両親が不当にコンテンツデータの視聴を制限されることは無くなるが、年齢制限の設定されているコンテンツデータから子供を保護することができなくなる。
【００４１】
そこで、上記のような事情を一着眼点にして本実施形態にかかるコンテンツ記録装置２０を創作するに至った。本実施形態にかかるコンテンツ記録装置２０によれば、各再生装置３０において視聴が許容、または制限される年齢制限を動的に変化させることができる。以下、図３および図４を参照して再生装置３０の機能について説明した後に、図５〜図１０を参照して当該コンテンツ記録装置２０の機能について詳細に説明する。
【００４２】
〔３〕ホームネットワークを構成する再生装置の機能
図３は、本実施形態にかかる再生装置３０の構成を示した機能ブロック図である。図３に示したように、当該再生装置３０は、ネットワーク接続部３１０と、入出力インターフェース３２０と、ＣＰＵ（Ｃｅｎｔｒａｌ  Ｐｒｏｃｅｓｓｉｎｇ  Ｕｎｉｔ）３３０と、デコーダ３４０と、表示部３５０と、を備える。
【００４３】
ネットワーク接続部３１０は、ホームネットワーク１に含まれる他の装置との有線または無線のインターフェースであって、他の装置から各種データを受信する受信部および他の装置へ各種データを送信する送信部として機能する。例えば、ネットワーク接続部３１０は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１１ａ、ｂ、ｇなどに規定される無線通信機能を有してもよいし、ＩＥＥＥ８０２．１１ｎに規定されるＭＩＭＯ（Ｍｕｌｔｉｐｌｅ  Ｉｎｐｕｔ  Ｍｕｌｔｉｐｌｅ  Ｏｕｔｐｕｔ）通信機能を有してもよい。さらに、ネットワーク接続部３１０は、ＩＥＥＥ８０２．３に規定される有線ＬＡＮに対応する通信機能を有してもよい。
【００４４】
入出力インターフェース３２０は、再生装置３０の利用者とのインタフェースである。入出力インターフェース３２０は、タッチパネル、ボタン、スイッチ、レバー、ダイヤルや、リモートコントローラが発生する赤外線信号用の受光部あるいは無線信号を受信する受信部などからなる操作手段と、この操作手段に対する利用者からの操作に応じて操作信号を生成してＣＰＵ３３０に出力する入力制御回路などから構成されている。再生装置３０の利用者は、この入出力インターフェース３２０を操作することにより、再生装置３０に対して各種のデータを入力したり、各種処理を指示したりすることができる。各種処理としては、例えば、コンテンツリストからのコンテンツデータの選択、コンテンツデータの再生／一時停止／早送り／巻き戻し／音量調整などがあげられる。
【００４５】
ＣＰＵ３３０は、例えば応答部３３２およびコンテンツ取得部３３４などの機能が実装され、再生装置３０による動作全般を制御する。かかるＣＰＵ３３０は、図３においては描写を省略しているが、ＲＯＭ（Ｒｅａｄ  Ｏｎｌｙ  Ｍｅｍｏｒｙ）に記憶されているプログラムに基づいて、ＲＡＭ（Ｒａｎｄｏｍ  Ａｃｃｅｓｓ  Ｍｅｍｏｒｙ）を作業領域として動作してもよい。
【００４６】
応答部３３２は、ホームネットワーク１内の装置からの各種要求に対する応答を行なう。例えば、コンテンツ記録装置２０がホームネットワーク１に存在する再生装置３０を把握するために応答要求を送信した場合、応答部３３２は自装置がホームネットワーク１に存在する旨を示す応答を、ネットワーク接続部３１０を介して行なう。
【００４７】
コンテンツ取得部３３４は、コンテンツデータをコンテンツ記録装置２０から取得するまでの一連の処理を行う。例えば、コンテンツ取得部３３４は、現在取得可能なコンテンツデータの一覧を示すコンテンツリストの送信をコンテンツ記録装置２０に対して要求する。そして、コンテンツ取得部３３４は、コンテンツ記録装置２０から送信されたコンテンツリストが受信されると、コンテンツリストのうちから入出力インターフェース３２０を介して利用者に選択されたコンテンツデータの送信をコンテンツ記録装置２０に要求する。その後、再生装置３０は、コンテンツ取得部３３４からの要求に応じてコンテンツ記録装置２０から送信されたコンテンツデータを取得することができる。
【００４８】
デコーダ３４０は、コンテンツ記録装置２０から送信されたコンテンツデータをデコードする。そして、表示部３５０が、デコーダ３４０によりデコードされたコンテンツデータを表示する。デコーダ３４０がデコードするコンテンツデータのフォーマットデータとしては、例えば、ＪＰＥＧ（Ｊｏｉｎｔ  Ｐｈｏｔｏｇｒａｐｈｉｃ  ｃｏｄｉｎｇ  Ｅｘｐｅｒｔｓ  Ｇｒｏｕｐ）、ＭＰＥＧ（Ｍｏｖｉｎｇ  Ｐｉｃｔｕｒｅ  Ｅｘｐｅｒｔｓ  Ｇｒｏｕｐ）１、ＭＰＥＧ２またはＭＰＥＧ４などの画像圧縮形式や、ＭＰ３（ＭＰＥＧ１  Ａｕｄｉｏ  Ｌａｙｅｒ−３）、ＡＡＣ（Ａｄｖａｎｃｅｄ  Ａｕｄｉｏ  Ｃｏｄｉｎｇ）、ＬＰＣＭ（Ｌｉｎｅａｒ  ＰＣＭ）、ＷＭＡ９（Ｗｉｎｄｏｗｓ（登録商標）  Ｍｅｄｉａ  Ａｕｄｉｏ９）、ＡＴＲＡＣ（Ａｄａｐｔｉｖｅ  ＴＲａｎｓｆｏｒｍ  Ａｃｏｕｓｔｉｃ  Ｃｏｄｉｎｇ）またはＡＴＲＡＣ３などの音声圧縮形式があげられる。また、表示部３５０は、図４に示すように、上述したコンテンツリストを示すコンテンツリスト画面５０も表示する。
【００４９】
図４は、表示部３５０に表示されるコンテンツリスト画面５０の具体例を示した説明図である。図４に示したように、コンテンツリスト画面５０は、各コンテンツデータに対応するサムネイル５２Ａ〜５２Ｃ、概略情報５４Ａ〜５４Ｃ、および再生ボタン５６Ａ〜５６Ｃを含む。
【００５０】
再生装置３０の利用者は、図４に示したコンテンツリスト画面５０において、例えばタイトル名が「ワールドサッカー２００８」であるコンテンツデータの再生ボタン５６Ａを入出力インターフェース３２０を介して選択することができる。再生装置３０の利用者により再生ボタン５６Ａが選択されると、コンテンツ取得部３３４がタイトル名が「ワールドサッカー２００８」であるコンテンツデータの送信をコンテンツ記録装置２０に対して要求する。その後、コンテンツ記録装置２０から送信されたタイトル名が「ワールドサッカー２００８」であるコンテンツデータをデコーダ３４０がデコードし、デコーダ３４０によりデコードされたコンテンツデータを表示部３５０が表示する。なお、表示部３５０は、音声を出力するスピーカやイヤホンなどの音声出力部としての機能を含んでいてもよい。
【００５１】
〔４〕ホームネットワークを構成するコンテンツ記録装置の機能
以上、図３および図４を参照して本実施形態にかかる再生装置３０の機能について説明した。続いて、図５〜図１０を参照し、本実施形態にかかるコンテンツ記録装置２０の機能について説明する。
【００５２】
図５は、本実施形態にかかるコンテンツ記録装置２０の構成を示した機能ブロック図である。図５に示したように、当該コンテンツ記録装置２０は、ネットワーク接続部２１０と、ＣＰＵ２３０と、記憶部２５０と、入出力インターフェース２６０と、を備える。
【００５３】
ネットワーク接続部２１０は、ホームネットワーク１に含まれる他の装置との有線または無線のインターフェースであって、他の装置から各種データを受信する受信部および他の装置へ各種データを送信する送信部として機能する。例えば、ネットワーク接続部２１０は、受信機１６からコンテンツデータを受信したり、再生装置３０へコンテンツデータを送信したりする。また、ネットワーク接続部２１０は、再生装置３０のネットワーク接続部３１０と同様に、ＩＥＥＥ８０２．１１ａ、ｂ、ｇなどに規定される無線通信機能を有してもよいし、ＩＥＥＥ８０２．１１ｎに規定されるＭＩＭＯ通信機能を有してもよい。さらに、ネットワーク接続部２１０は、ＩＥＥＥ８０２．３に規定される有線ＬＡＮに対応する通信機能を有してもよい。
【００５４】
ＣＰＵ２３０は、例えば表示画面生成部２３２、基準設定部２３４、状態検出部２３６、視聴制限判断部２３８、および送信制御部２４０の機能が実装され、コンテンツ記録装置２０の動作全般を制御する。図５においては描写を省略しているが、ＣＰＵ２３０は、ＲＯＭに記憶されているプログラムに基づいて、ＲＡＭを作業領域として動作してもよい。
【００５５】
記憶部２５０は、受信機１６からネットワーク接続部２１０により受信されたコンテンツデータが記録される記憶媒体である。また、記憶部２５０には、後述の制限基準に関する情報も記録される。
【００５６】
このような記憶部２５０は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｍｄｏｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。なお、記憶部２５０は、受信機１６から送信されるコンテンツデータを再生装置３０へ転送するために一時的に保持するバッファとして機能してもよい。
【００５７】
入出力インターフェース２６０は、コンテンツ記録装置２０の利用者とのインタフェースであって、入力部としての機能を有する。入出力インターフェース２６０は、タッチパネル、ボタン、スイッチ、レバー、ダイヤルや、リモートコントローラが発生する赤外線信号用の受光部あるいは無線信号を受信する受信部などからなる操作手段と、この操作手段に対する利用者からの操作に応じて操作信号を生成してＣＰＵ２３０に出力する入力制御回路などから構成されている。コンテンツ記録装置２０の利用者は、この入出力インターフェース２６０を操作することにより、コンテンツ記録装置２０に対して各種のデータを入力したり、各種処理を指示したりすることができる。各種処理としては、例えば、制限基準の設定処理があげられる。
【００５８】
続いて、ＣＰＵ２３０に実装される機能について詳細に説明する。
【００５９】
表示画面生成部２３２は、入出力インターフェース２６０への利用者による操作に応じ、図７に示す制限基準の表示画面６０、図８および図９に示す制限基準の制限基準の設定画面７０および８０などを生成する。
【００６０】
基準設定部２３４は、利用者により入出力インターフェース２６０へ制限基準（決定基準）の設定要求が入力されると、各再生装置３０に適用される年齢制限を決定するための制限基準の設定処理を行う。具体的には、まず、基準設定部２３４は図６に示す各再生装置３０の装置情報を取得する。
【００６１】
図６は、基準設定部２３４により取得された各再生装置３０の装置情報を含む機器リストの具体例を示した説明図である。図６に示したように、装置情報は、機器名称と、機器ＩＤと、ＩＰアドレスと、制限基準とを含む。また、本明細書においては説明の便宜上、機器ＩＤが符号と一致するものとして説明する。例えば、再生装置３０Ａの機器ＩＤは３０Ａであるものとする。
【００６２】
したがって、図６は、再生装置３０Ａの機器名称が「リビングのＴＶ」であり、機器ＩＤが「３０Ａ」であり、ＩＰアドレスが「１９２．ｘｘｘ．ａａａ・・・」であり、制限基準が設定されていないことを示している。同様に、図６には、再生装置３０Ｂおよび３０Ｃの装置情報が示されている。
【００６３】
基準設定部２３４により各再生装置３０の装置情報が取得されると、表示画面生成部２３２は、例えば図７に示す制限基準の表示画面６０を生成し、該制限基準の表示画面６０を表示装置１８Ｂに表示させる。
【００６４】
図７は、表示画面生成部２３２により生成される制限基準の表示画面６０の具体例を示した説明図である。図７に示したように、制限基準の表示画面６０は、各再生装置３０の機器名称と、制限基準の設定状況を含む。図７に示した例では、現在、各再生装置３０に制限基準が設定されていないため、各再生装置３０に制限基準無し、と記載されている。
【００６５】
表示画面生成部２３２は、かかる制限基準の表示画面６０において、入出力インターフェース２６０を介して利用者によりカーソル６２が再生装置３０Ａ（リビングのＴＶ）に合わせられ、再生装置３０Ａが選択されると、図８に示す制限基準の設定画面７０を生成する。
【００６６】
なお、表示画面生成部２３２は、制限基準の設定画面７０を生成する前に、コンテンツ記録装置２０の利用者が正当な権限を有するか否かを確認するために、パスワードの入力画面を生成してもよい。このように、パスワード認証を行なった後に制限基準の設定、変更を可能とすることにより、再生装置３０に適用される制限基準の設定をできる利用者を制限することができる。したがって、不当に再生装置３０に適用される制限基準が設定されてしまう場合を抑制することが可能である。
【００６７】
また、利用者が正当な権限を有するか否かの確認には、パスワード認証に限られず、任意の方法で行なうことができる。例えば、認証処理は、利用者に指紋の入力を要求し、入力された指紋が記憶部２５０に記憶されている指紋と一致、あるいは類似するか否かに基づいた認証を行なう指紋認証方式であってもよい。または、認証処理は、利用者にＩＣカードの近接操作を要求し、近接されたＩＣカードが記憶部２５０に記憶されたＩＣカード情報と一致するか否かに基づいた認証を行なう媒体認証方式であってもよい。その他、認証処理は、利用者の音声を利用する音声認証方式、利用者の網膜の模様に基づく網膜認証方式、利用者の顔の形に基づく顔認証方式などであってもよい。
【００６８】
図８は、表示画面生成部２３２により生成される制限基準の設定画面７０の具体例を示した説明図である。図８に示したように、制限基準の設定画面７０は、対象装置の選択表示７２、対象装置の状態選択表示７４、年齢制限の選択表示７６、基準２へ進むためのボタン７７、ＯＫボタン７８、およびキャンセルボタン７９を含む。
【００６９】
利用者は、対象装置の選択表示７２において、再生装置３０Ａ（リビングのＴＶ）の年齢制限に影響を与える装置を選択することができる。また、利用者は、対象装置の状態選択表示７４において、選択した装置のオンオフ状態を選択することができる。ここで、オンオフ状態としては、電源が供給されている状態や電源が遮断されている状態などが想定される。また、利用者は、年齢制限の選択表示７６において、選択した装置が、選択した状態にあるときに再生装置３０Ａに適用される年齢制限を選択することができる。
【００７０】
図８に示した例では、対象装置として再生装置３０Ｂ（子供部屋のＴＶ）が選択され、対象装置の状態としてＯＮが選択され、年齢制限としてＲ２０が選択されている。そして、制限基準の設定画面７０においてＯＫボタン７８が選択されると、基準設定部２３４は、選択されている対象装置、対象装置の状態、および年齢制限を再生装置３０Ａの制限基準として設定する。すると、再生装置３０Ｂの電源がＯＮであるとき、再生装置３０Ａの年齢制限としてＲ２０が適用されることとなる。
【００７１】
上記年齢制限は、再生装置３０Ａにおいて視聴が許容されるコンテンツデータの年齢制限と、視聴が制限されるコンテンツデータの視聴制限の境界である。したがって、設定された年齢制限以下の年齢制限が設定されているコンテンツデータの再生装置３０Ａにおける視聴が許容され、設定された年齢制限より高い年齢制限が設定されているコンテンツデータの再生装置３０Ａにおける視聴が制限されてもよい。例えば、年齢制限としてＲ１４が設定された場合、ＰＧ１２やＲ１４などのＲ１４以下の年齢制限が設定されているコンテンツデータの再生装置３０Ａにおける視聴が許容され、Ｒ１６やＲ１８などのＲ１４より高い年齢制限が設定されているコンテンツデータの再生装置３０Ａにおける視聴が制限されてもよい。
【００７２】
または、設定された年齢制限より低い年齢制限（レイティング）が設定されているコンテンツデータの再生装置３０Ａにおける視聴が許容され、設定された年齢制限以上の年齢制限が設定されているコンテンツデータの再生装置３０Ａにおける視聴が制限されてもよい。例えば、年齢制限としてＲ１４が設定された場合、ＰＧ１２などのＲ１４を下回る年齢制限が設定されているコンテンツデータの再生装置３０Ａにおける視聴が許容され、Ｒ１４やＲ１８などのＲ１４以上の年齢制限が設定されているコンテンツデータの再生装置３０Ａにおける視聴が制限されてもよい。なお、上記の年齢制限は、対象装置が指定してある状態である場合に適用される。
【００７３】
一方、制限基準の設定画面７０においてキャンセルボタン７９が選択されると、表示画面生成部２３２は図７に示した制限基準の表示画面６０を生成して表示装置１８Ｂに表示させる。
【００７４】
さらに、制限基準の設定画面７０において基準２へ進むためのボタン７７が選択されると、表示画面生成部２３２は、図９に示す制限基準の設定画面８０を生成する。
【００７５】
図９は、表示画面生成部２３２によりさらに生成される制限基準の設定画面８０の具体例を示した説明図である。この制限基準の設定画面８０は、再生装置３０Ａに適用される制限基準を追加するための表示画面である。このような制限基準の設定画面８０は、制限基準の設定画面７０とほぼ同一に構成され、対象装置の選択表示８２、対象装置の状態選択表示８４、年齢制限の選択表示８６、基準３へ進むためのボタン８７、ＯＫボタン８８、およびキャンセルボタン８９を含む。
【００７６】
図９に示した例では、対象装置として再生装置３０Ｃ（寝室のＴＶ）が選択され、対象装置の状態としてＯＮが選択され、年齢制限としてＲ１４が選択されている。そして、制限基準の設定画面８０においてＯＫボタン８８が選択されると、基準設定部２３４は、選択されている対象装置、対象装置の状態、および年齢制限を再生装置３０Ａの制限基準として追加設定する。すると、再生装置３０Ｃの電源がＯＮであるとき、再生装置３０Ａの年齢制限としてＲ１４が適用されることとなる。
【００７７】
一方、制限基準の設定画面８０においてキャンセルボタン８９が選択されると、表示画面生成部２３２は図７に示した制限基準の表示画面６０を生成して表示装置１８Ｂに表示させてもよい。
【００７８】
さらに、制限基準の設定画面７０において基準２へ進むためのボタン７７が選択されると、表示画面生成部２３２は、３つ目の制限基準を設定するための、制限基準の設定画面７０および制限基準の設定画面８０と実質的に同一な画面を生成してもよい。
【００７９】
このような表示画面を介して利用者による設定が終了すると、各再生装置３０の機器リストが例えば図１０に示す内容に更新される。
【００８０】
図１０は、制限基準の設定後の機器リストの具体例を示した説明図である。図１０に示したように、再生装置３０Ａ（リビングのＴＶ）の装置情報は、図６に示した例と比較すると、制限基準が追加されている。かかる機器リストは、記憶部２５０に記録され、再生装置３０からのコンテンツデータの取得要求があったときに活用される。なお、このような年齢制限および適用時間を含む装置情報は各再生装置３０へ送信され、各再生装置３０が保持してもよい。
【００８１】
ここで、図５を参照してコンテンツ記録装置２０の構成の説明に戻ると、状態検出部２３６は、ホームネットワーク１に含まれる各装置の状態を検出する検出部としての機能を有する。例えば、状態検出部２３６は、再生装置３０Ａ、３０Ｂおよび３０Ｃの電源がＯＮであるかＯＦＦであるかを検出する。具体的には、状態検出部２３６は、ホームネットワーク１に含まれる各再生装置３０に対して状態報告の要求を定期的にブロードキャストし、該要求に応じて各再生装置３０から送信される電源のＯＮＯＦＦ状態を取得してもよい。または、各再生装置３０が定期的に電源のＯＮＯＦＦ状態をコンテンツ記録装置２０へ送信してもよい。さらに、状態検出部２３６は、ホームネットワーク１に含まれる各再生装置３０に対して状態報告の要求を必要が生じたときにブロードキャストし、該要求に応じて各再生装置３０から送信される電源のＯＮＯＦＦ状態を取得してもよい。
【００８２】
また、状態検出部２３６が検出する各再生装置３０の状態は、電源のＯＮＯＦＦ状態に限定されない。近年、再生装置３０には、周囲の明るさに応じて表示部３５０の輝度を調整するために、明るさセンサ（光センサ）が設けられる。したがって、状態検出部２３６は、かかる明るさセンサによる光の感知状態を検出してもよい。そして、制限基準における装置の状態に関する条件に、光の感知状態が追加されてもよい。なお、ホームネットワーク１に明るさセンサを単独で設け、状態検出部２３６は単独で設けられた明るさセンサによる光の感知状態を検出してもよい。
【００８３】
また、ホームネットワーク１に間接的に人間の存在を感知できるセンサを設け、状態検出部２３６は該センサの状態を検出してもよい。人間の存在を感知できるセンサとしては、例えば、赤外線センサ、温度センサ、湿度センサ、ジャイロセンサ、風力センサなどの任意のセンサがあげられる。
【００８４】
視聴制限判断部（視聴制限決定部）２３８は、再生装置３０からコンテンツリストの送信を要求されると、記憶部２５０に記録されている再生装置３０の制限基準、および状態検出部２３６による検出状態に応じ、再生装置３０に現在適用される年齢制限を決定する。例えば、視聴制限判断部２３８は、再生装置３０Ｂ（子供部屋のＴＶ）がＯＮであるとき、再生装置３０Ａの年齢制限をＲ２０に決定する。すなわち、視聴制限判断部２３８は、通常時の再生装置３０Ａの年齢制限がＲ１８に設定されていた場合、再生装置３０Ｂ（子供部屋のＴＶ）がＯＮであるとき再生装置３０Ａにおいて視聴が許容されるコンテンツデータの年齢制限を高くする。
【００８５】
一方、視聴制限判断部２３８は、再生装置３０Ｃ（寝室のＴＶ）がＯＮであるとき、再生装置３０Ａの年齢制限をＲ１４に決定する。すなわち、視聴制限判断部２３８は、通常時の再生装置３０Ａの年齢制限がＲ１８に設定されていた場合、再生装置３０Ｃ（寝室のＴＶ）がＯＮであるとき再生装置３０Ａにおいて視聴が許容されるコンテンツデータの年齢制限を低くする。なお、再生装置３０Ａに年齢制限が設定されていなかった場合でも、このように年齢制限を設定することは、再生装置３０Ａにおいて視聴が許容されるコンテンツデータの年齢制限を低くすることに該当する。
【００８６】
また、視聴制限判断部２３８は、さらに、現在時刻に応じて再生装置３０Ａに適用される年齢制限を決定してもよい。かかる構成においては、再生装置３０Ａの利用者が時刻に応じて異なる場合、各利用者に応じた年齢制限を各利用者に課することが可能となる。例えば、子供が２３時に睡眠することが分かっている場合、視聴制限判断部２３８は、２３時以降は全ての再生装置３０の年齢制限を解除してもよい。また、このような子供の生活習慣は、過去に状態検出部２３６により検出された各装置の状態に基づいて取得されてもよい。例えば、毎日２３時頃に子供部屋の電気が消灯されることが状態検出部２３６により検出された場合、子供が２３時に睡眠するという生活習慣が取得される。  
【００８７】
送信制御部（制御部）２３８は、視聴制限判断部２３８により決定された年齢制限より高い年齢制限が設定されているコンテンツデータを示す項目を含まないコンテンツリストをネットワーク接続部２１０から再生装置３０へ送信させる。
【００８８】
さらに、再生装置３０からコンテンツリストに含まれるあるコンテンツデータの送信を要求されると、送信制御部２４０は、要求されたコンテンツデータをネットワーク接続部２１０から再生装置３０へ送信させる。
【００８９】
以上説明したように、本実施形態にかかるコンテンツ記録装置２０は、再生装置３０に適用される年齢制限を他の装置の状態に応じて決定することができる。したがって、再生装置３０の利用者が不定であっても、利用者ごとにコンテンツデータの視聴を適切に制限し得る。
【００９０】
例えば、再生装置３０Ｃの利用者が両親であると特定されており、再生装置３０Ｃの電源がオン状態である場合には、再生装置３０Ａの現在の利用者が子供である可能性が高くなる。この場合、上記のように、視聴制限判断部２３８が再生装置３０Ａにおいて視聴が許容されるコンテンツデータの視聴制限の上限を低くすることにより、子供を不適切なコンテンツデータから効果的に保護することができる。
【００９１】
また、再生装置３０Ｂの利用者が子供であると特定されており、再生装置３０Ｂの電源がオン状態である場合には、再生装置３０Ａの現在の利用者が両親である可能性が高くなる。この場合、上記のように、視聴制限判断部２３８が再生装置３０Ａにおいて視聴が許容されるコンテンツデータの視聴制限の上限を高くすることにより、両親がコンテンツデータの視聴を過剰に制限されることを抑止できる。
【００９２】
〔５〕本実施形態にかかるホームネットワークの動作
次に、本実施形態にかかるホームネットワーク１の動作について図１１〜図１４を参照して説明する。
【００９３】
図１１は、制限基準が設定される流れを示したシーケンス図である。図１１に示したように、まず、コンテンツ記録装置２０に利用者から制限基準の設定指示が入力されると（Ｓ４０４）、コンテンツ記録装置２０は、ホームネットワーク１内に存在する再生装置３０へ応答要求をブロードキャストする（Ｓ４０８）。
【００９４】
ホームネットワーク１内に存在する再生装置３０Ａは、コンテンツ記録装置２０から応答要求を受信すると、再生装置３０ＡのＩＰアドレスを含む応答をコンテンツ記録装置２０に対して行なう（Ｓ４１２）。また、ホームネットワーク１内に存在する再生装置３０Ｂは、コンテンツ記録装置２０から応答要求を受信すると、再生装置３０ＢのＩＰアドレスを含む応答をコンテンツ記録装置２０に対して行なう（Ｓ４１６）。同様に、ホームネットワーク１内に存在する再生装置３０Ｃは、コンテンツ記録装置２０から応答要求を受信すると、再生装置３０ＣのＩＰアドレスを含む応答をコンテンツ記録装置２０に対して行なう（Ｓ４２０）。なお、上記では、コンテンツ記録装置２０が再生装置３０を検索する例を説明したが、本発明はかかる例に限定されない。例えば、再生装置３０が起動時にコンテンツ記録装置２０を検索し、コンテンツ記録装置２０が応答を行なってもよい。
【００９５】
続いて、コンテンツ記録装置２０は、再生装置３０Ａに対し、応答に含まれていたＩＰアドレスに基づいて再生装置３０Ａの装置情報の送信を要求する（Ｓ４２４）。再生装置３０Ａは、装置情報の送信が要求されると、コンテンツ記録装置２０へ再生装置３０Ａの機能や機器名称などを含む装置情報を送信する（Ｓ４２８）。同様に、コンテンツ記録装置２０は、再生装置３０Ｂに対し、応答に含まれていたＩＰアドレスに基づいて再生装置３０Ｂの装置情報の送信を要求する（Ｓ４３２）。再生装置３０Ｂは、装置情報の送信が要求されると、コンテンツ記録装置２０へ再生装置３０Ｂの機能や機器名称などを含む装置情報を送信する（Ｓ４３６）。さらに、コンテンツ記録装置２０は、再生装置３０Ｃに対し、応答に含まれていたＩＰアドレスに基づいて再生装置３０Ｃの装置情報の送信を要求する（Ｓ４４０）。再生装置３０Ｃは、装置情報の送信が要求されると、コンテンツ記録装置２０へ再生装置３０Ｃの機能や機器名称などを含む装置情報を送信する（Ｓ４４４）。
【００９６】
そして、コンテンツ記録装置２０の表示画面生成部２３２は、各再生装置３０から受信された装置情報、または記憶部２５０に記録されている装置情報に基づき、図８に示した制限基準の設定画面７０を生成する（Ｓ４４８）。その後、基準設定部２３４は、制限基準の設定画面７０において選択された対象装置、対象装置の状態、および年齢制限を、各再生装置３０の視聴制限として設定する（Ｓ４５２）。
【００９７】
図１２は、再生装置３０によりコンテンツデータが再生されるまでの流れを示したシーケンス図である。図１２に示したように、まず、再生装置３０Ｃがコンテンツ記録装置２０へコンテンツリストを要求すると（Ｓ５０４）、コンテンツ記録装置２０の視聴制限判断部２３８は再生装置３０Ｃの年齢制限を確認する（Ｓ５０８）。そして、視聴制限判断部２３８により再生装置３０Ｃに年齢制限が適用されていないことが確認されると、送信制御部２４０は全てのコンテンツデータを示すコンテンツリストをネットワーク接続部２１０から再生装置３０Ｃへ送信させる（Ｓ５１２）。
【００９８】
また、再生装置３０Ａがコンテンツ記録装置２０へコンテンツリストを要求すると（Ｓ５１６）、コンテンツ記録装置２０の視聴制限判断部２３８は再生装置３０Ａの視聴制限を確認する（Ｓ５２０）。ここで、視聴制限判断部２３８は、再生装置３０Ｃの電源がＯＮであるため、再生装置３０Ａに適用される年齢制限がＲ１４であると決定する。したがって、送信制御部２４０は再生装置３０Ａにおいて視聴が許容されているコンテンツデータを示す限定コンテンツリストをネットワーク接続部２１０から再生装置３０Ａへ送信させる（Ｓ５２４）。
【００９９】
その後、コンテンツ記録装置２０の送信制御部２４０は、Ｓ５１２において送信したコンテンツリストに含まれるコンテンツデータを再生装置３０Ｃから要求されると（Ｓ５２８）、該コンテンツデータの送信を開始する（Ｓ５３２）。そして、再生装置３０Ｃは、コンテンツ記録装置２０から送信されるコンテンツデータの再生を開始する（Ｓ５３６）。
【０１００】
図１３は、コンテンツ記録装置２０において実行される視聴制限決定方法の流れを示したフローチャートである。図１３に示したように、コンテンツ記録装置２０の視聴制限判断部２３８は、再生装置３０からコンテンツが要求され（Ｓ６０４）、再生装置３０からコンテンツリストが要求されると（Ｓ６０８）、機器リストを参照する（Ｓ６１２）。そして、状態検出部２３６による検出状況、および制限基準に基づいて再生装置３０に適用される年齢制限が視聴制限判断部２３８により決定される（Ｓ６１２）。
【０１０１】
そして、視聴制限判断部２３８により所定の年齢制限が決定された場合（Ｓ６１６）、送信制御部２４０は再生装置３０において視聴が許容される一部のコンテンツデータを示す限定コンテンツリストを送信する（Ｓ６１８）。一方、再生装置３０に年齢制限が適用されないと視聴制限判断部２３８により決定された場合、送信制御部２４０は全てのコンテンツデータを示すコンテンツリストを送信する（Ｓ６２０）。
【０１０２】
続いて、再生装置３０からコンテンツデータの再生、すなわち送信が要求されると（Ｓ６２４）、送信制御部２４０は、要求されたコンテンツデータに年齢制限が設定されているか否かを判断する（Ｓ６２８）。そして、送信制御部２４０は、コンテンツデータに年齢制限が設定されており、再生装置３０に適用される年齢制限より低い場合、該コンテンツデータを再生装置３０へ送信する（Ｓ６３２）。一方、再生装置３０に年齢制限が適用されないと視聴制限判断部２３８により判断された場合、送信制御部２４０は要求されたコンテンツデータを再生装置３０へ送信する（Ｓ６３６）。
【０１０３】
図１４は、コンテンツ記録装置２０が機器リストを取得するまでの流れを示したフローチャートである。まず、コンテンツ記録装置２０は、応答要求をホームネットワーク１内にブロードキャストする（Ｓ７０４）。そして、コンテンツ記録装置２０は、応答要求に対する応答があった場合（Ｓ７０８）、応答元の再生装置３０の装置情報を取得する（Ｓ７１２）。さらに、表示画面生成部２３２が、取得された装置情報に基づいて制限基準の表示画面を生成する（Ｓ７１６）。
【０１０４】
また、視聴制限設定部２３４は、利用者により入力された制限基準を含む装置情報を機器リストに追加する（Ｓ７２０）。そして、コンテンツ記録装置２０は、Ｓ７０４において送信した応答要求に対する応答を全て受信すると、当該処理を終了する（Ｓ７２４）。なお、図１４においては、一の再生装置３０ごとに制限基準の表示画面を生成する例を説明したが、図７に示したように全てに再生装置３０を含む制限基準の表示画面６０を生成してもよい。
【０１０５】
〔６〕まとめ
以上説明したように、本実施形態によれば、再生装置３０に適用される年齢制限を他の再生装置３０のオンオフ状態に応じて決定することができる。したがって、再生装置３０の利用者が不定であっても、利用者ごとにコンテンツデータの視聴を適切に制限し得る。
【０１０６】
例えば、再生装置３０Ｃの利用者が両親であると特定されており、再生装置３０Ｃの電源がオン状態である場合には、再生装置３０Ａの現在の利用者が子供である可能性が高くなる。この場合、上記のように、視聴制限判断部２３８が再生装置３０Ａにおいて視聴が許容されるコンテンツデータの視聴制限の上限を低くすることにより、子供を不適切なコンテンツデータから効果的に保護することができる。
【０１０７】
また、再生装置３０Ｂの利用者が子供であると特定されており、再生装置３０Ｂの電源がオン状態である場合には、再生装置３０Ａの現在の利用者が両親である可能性が高くなる。この場合、上記のように、視聴制限判断部２３８が再生装置３０Ａにおいて視聴が許容されるコンテンツデータの視聴制限の上限を高くすることにより、両親がコンテンツデータの視聴を過剰に制限されることを抑止できる。
【０１０８】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１０９】
例えば、上記実施形態では、各再生装置３０に制限基準を設定する例に重きをおいて説明したが、各再生装置３０に設定した制限基準を変更することも可能である。利用者から制限基準の変更が要求された場合、コンテンツ記録装置２０の基準設定部２３４が記憶部２５０から機器リストを読出し、表示画面生成部２３２が該機器リストに基づいて制限基準の表示画面を生成してもよい。
【０１１０】
また、上記実施形態では、ある再生装置３０の電源がＯＮであるときに他の再生装置に所定の年齢制限が適用される例を説明したが、本発明はかかる例に限定されない。例えば、ある再生装置３０の電源がＯＦＦであるときに他の再生装置に所定の年齢制限が適用されてもよい。
【０１１１】
また、コンテンツ記録装置２０は、さらに、各再生装置３０に適用される基本的な年齢制限を利用者による操作に基づいて設定してもよい。さらに、該年齢制限が適用される制限時間帯も利用者による操作に基づいて設定してもよい。かかる構成においては、ある再生装置３０において視聴が許容、または制限されるコンテンツデータの年齢制限を時刻に応じて動的に変化させることができるため、再生装置３０の利用者が不定であっても、利用者ごとにコンテンツデータの視聴を適切に制限し得る。
【０１１２】
また、再生装置３０に複数の制限基準を設定し、複数の制限基準が同時に適用される場合には、あらかじめ複数の制限基準の優劣関係を設定しておいてもよい。例えば、「寝室のＴＶがＯＮのときＲ１４」という制限基準が「子供部屋のＴＶがＯＮのときＲ２０」という制限基準より優先される場合、再生装置３０Ｂおよび再生装置３０Ｃが同時にオンされているときに再生装置３０ＡにはＲ１４が適用されてもよい。
【０１１３】
または、先に条件を満たした制限基準、または後に条件を満たした制限基準が優先されてもよい。例えば、子供部屋のＴＶ（再生装置３０Ｂ）がＯＮされた後に寝室のＴＶ（再生装置３０Ｃ）がＯＮされた場合、「寝室のＴＶがＯＮのときＲ１４」という制限基準が「子供部屋のＴＶがＯＮのときＲ２０」という制限基準より優先されてもよい。
【０１１４】
または、複数の制限基準のうちで、より年齢制限が厳しい方の制限基準が優先されてもよい。例えば、「寝室のＴＶがＯＮのときＲ１４」という制限基準が「子供部屋のＴＶがＯＮのときＲ２０」という制限基準では、「寝室のＴＶがＯＮのときＲ１４」という制限基準が優先されてもよい。同様に、複数の制限基準のうちで、より年齢制限が緩い方の制限基準が優先されてもよい。例えば、「寝室のＴＶがＯＮのときＲ１４」という制限基準が「子供部屋のＴＶがＯＮのときＲ２０」という制限基準では、「子供部屋のＴＶがＯＮのときＲ２０」という制限基準が優先されてもよい。
【０１１５】
また、本明細書のホームネットワーク１の処理における各ステップは、必ずしもフローチャート、またはシーケンス図として記載された順序に沿って時系列に処理する必要はない。例えば、ホームネットワーク１の処理における各ステップは、並列的あるいは個別に実行される処理（例えば、並列処理あるいはオブジェクトによる処理）を含んでもよい。
【０１１６】
また、コンテンツ記録装置２０のＣＰＵ２３０を、ＲＯＭおよびＲＡＭなどのハードウェアと協働し、表示画面生成部２３２、基準設定部２３４、状態検出部２３６、視聴制限判断部２３８、および送信制御部２４０として機能させるためのコンピュータプログラムも作成可能である。また、該コンピュータプログラムを記憶させた記憶媒体も提供される。また、表示画面生成部２３２、基準設定部２３４、状態検出部２３６、視聴制限判断部２３８、および送信制御部２４０をハードウェアで構成することで、コンテンツ記録装置２０における一連の処理をハードウェアで実現することもできる。
【図面の簡単な説明】
【０１１７】
【図１】本実施形態にかかるホームネットワーク１の構成を示した説明図である。
【図２】ホームネットワークが適用された住宅の間取りの具体例を示した説明図である。
【図３】本実施形態にかかる再生装置の構成を示した機能ブロック図である。
【図４】表示部に表示されるコンテンツリスト画面の具体例を示した説明図である。
【図５】本実施形態にかかるコンテンツ記録装置の構成を示した機能ブロック図である。
【図６】基準設定部により取得された各再生装置の装置情報を含む機器リストの具体例を示した説明図である。
【図７】表示画面生成部により生成される制限基準の表示画面の具体例を示した説明図である。
【図８】表示画面生成部により生成される制限基準の設定画面の具体例を示した説明図である。
【図９】表示画面生成部によりさらに生成される制限基準の設定画面の具体例を示した説明図である。
【図１０】制限基準の設定後の機器リストの具体例を示した説明図である。
【図１１】制限基準が設定される流れを示したシーケンス図である。
【図１２】再生装置によりコンテンツデータが再生されるまでの流れを示したシーケンス図である。
【図１３】コンテンツ記録装置において実行される視聴制限決定方法の流れを示したフローチャートである。
【図１４】コンテンツ記録装置が機器リストを取得するまでの流れを示したフローチャートである。
【符号の説明】
【０１１８】
１６      受信機
２０      コンテンツ記録装置
３０、３０Ａ、３０Ｂ、３０Ｃ    再生装置
２１０、３１０    ネットワーク接続部
２３０、３３０    ＣＰＵ
２３２    表示画面生成部
２３４    基準設定部
２３６    状態検出部
２３８    視聴制限判断部
２４０    送信制御部
２５０    記憶部
２６０、３２０    入出力インターフェース
【図１】
0004483959.tif 000002
【図２】
0004483959.tif 000003
【図３】
0004483959.tif 000004
【図４】
0004483959.tif 000005
【図５】
0004483959.tif 000006
【図６】
0004483959.tif 000007
【図７】
0004483959.tif 000008
【図８】
0004483959.tif 000009
【図９】
0004483959.tif 000010
【図１０】
0004483959.tif 000011
【図１１】
0004483959.tif 000012
【図１２】
0004483959.tif 000013
【図１３】
0004483959.tif 000014
【図１４】
0004483959.tif 000015